(57)【要約】【課題】室内における会話内容の盗聴を防止する会話保護装置において、壁、窓ガラス、扉等の建築材料、及び什器類を含む内装の固体を媒体として伝搬する固体振動を利用する方法による会話内容の盗聴を防止する。【解決手段】会話を行う室の室壁等に設置したセンサにより、室内の会話者の会話音レベルを検出測定し会話音のマスキングに必要とする強度のマスキング振動を発生させ室壁等に重畳付加して室壁等を振動させ、室壁等を経由する固体伝搬音をマスクすることにより会話内容の保護を行う。【選択図】  図２
2004334147.tif 000002
【特許請求の範囲】
【請求項１】
固体振動センサ（１）と振動検出部（２）と表示部（３）とマスキング振動設定部（４）とマスキング信号発生部（５）と電源部（６）とトランスデューサ部（７）とカプラ部（８）から成り、室壁等にマスキング振動を付加することにより室内会話音声の内容を盗聴されないようにすることを特徴とする会話保護装置。
【発明の詳細な説明】
【０００１】
【発明の属する技術分野】
本発明は、室内における会話音声の内容を第三者の盗聴から保護することを目的とする会話保護装置に関する。
【０００２】
【従来の技術】
従来の、会話音声の内容を第三者の盗聴から保護することを目的とした技術は、会話する室内等の壁を厚くするか壁に吸音材を貼り付ける等により遮音壁をもうけ、会話音の強度を減衰させて外に漏れないような工事を施す方法で実施されていた。この技術は、会話者が発生する音声エネルギーの内空気伝搬を対象とした会話保護技術であり、盗聴を目的とした者が、振動センサを会話が行われている室壁等に設置し室壁等の固体振動を検出できるようにすれば、盗聴者にその目的を達成させる可能性があるという欠点を有していた。
【０００３】
【発明が解決しようとする課題】
本発明はこのような問題を解決するためになされたものであり、室壁等を経由して固体伝搬する会話音のレベルを検出し、そのレベルを上回るマスキング振動（盗聴を妨害する振動）を室壁等に重畳付加し、会話音声内容を盗聴者が聞き分けられないようにマスクすることにより、会話内容を保護する装置を提供することを目的とする。
【０００４】
【課題を解決するための手段】
上記課題を解決するために本発明の会話保護装置においては、室壁等の固体伝搬振動を電気信号に変換する固体振動センサ、振動のレベルを検出・記憶する振動検出部、同レベルを表示する表示部、マスキング振動の発生条件を設定するマスキング振動設定部、マスキング振動を発生するための電気信号を発生するマスキング信号発生部、電源を供給する電源部、マスキング振動を発生するトランスデューサ部及びマスキング振動を室壁等に重畳付加するカプラ部が装置される。
【０００５】
【発明の実施の形態】
先ず、本発明の装置により会話内容の保護ができる理由について説明する。図１は、会話の保護を必要とする部屋９の水平断面図を示す。会話者１０，１１による会話音声は、室内空間１２の空気を振動させ伝搬し、その空気振動がさらに内装１３を振動させる。内装１３の固体振動は内装と壁等１５の間に介在する空間１４の空気を振動させる。該空気振動はさらに壁等１５の壁面を振動させる。室内の会話音はこのように、空気振動による空気伝搬、その空気振動による固体振動の発生と発生した振動の固体伝搬、さらに固体振動による空気振動の発生により外部へ伝搬する。従来の空気伝搬を遮音する目的の遮音壁は遮音壁の外部壁面に到達する会話音の振動強度を必要なレベルまで減衰させて、室外から、人間の聴覚による直接的な盗聴及びピックアップマイクによる間接的な盗聴ができないようにしたものである。即ち、図１で示す会話の保護を必要とする部屋９の壁等１５を遮音壁で構成し、該遮音壁により会話音の強度を必要なレベルまで減衰させるものである。しかるに、そこには低いレベルではあるが振動が存在し、振動を零レベルまで完全に減衰させることはできない。また、建築構造上、内装１３と該遮音壁１５との間には連結部材１６が介在し、連結部材の材料は振動をできるだけ吸収するものを使用するが、建築強度を維持するためにはある程度の剛性を保持させる必要があり、該連結部材における振動の完全な吸収は不可能である。このような種々の理由により、空気伝搬を遮音するという考え方で遮音設計がなされ設備された遮音壁１５は室内の会話音を完全に減衰させることはできず微弱な振動を存在させることになる。さらに、遮音壁１５とその外側の建築構造との間にも外部連結１７が存在し、該連結を経由して広域にわたる固体振動の伝搬経路が発生する。以上のような理由で、会話音の盗聴を意図する第三者が、より高性能のマイクロフォンを設置することができれば、室内の会話音を室外から盗聴できる可能性が発生することになる。本発明の会話保護装置においては、上記の会話音の伝搬様態を肯定した上で、さらに高度の会話保護を行おうとするものである。即ち、会話を行う室内と室外との間の壁等には室内で行われる会話音の振動が存在するが、該壁等に対して別途手段により会話音の振動より高いレベルのマスキング振動を付加することにより、該マスキング振動が会話音の振動に重畳し会話音をマスクするため、壁等の外側において人間の耳による会話内容を直接盗聴すること及び種々のセンサを用いた装置を使用して間接的に盗聴することを防止することができる。
図２は、本発明の会話保護装置のブロック図を示す。固体振動センサ１は会話を行う部屋の壁等の固体振動を電気信号に変換するセンサであり、会話音振動、マスキング振動及び会話もマスキングも行われていないときの環境の暗騒音による振動をそれぞれ電気信号に変換する。振動検出部２は固体振動センサ１で電気信号に変換された信号レベルを検出するとともに、必要とあれば、表示部３に信号レベルを表示する。マスキング振動設定部４は、下記に示す式１の計算を実施し、マスキング信号発生の条件を決定するとともに、該条件（式１で示すＬＭＡＳを発生する条件）をマスキング信号発生部５へ伝達する。
【数１】
ＬＭＡＳ＝ＬＣＯＶ  −  ＬＮＬ  ＋  ＬＭ
ＬＭＡＳ：マスキング振動レベル
ＬＮＬ：暗騒音レベル
ＬＣＯＶ：会話音レベル
ＬＭ：マスキングに必要な暗騒音と会話音のレベル差
式１について説明する。
ＬＮＬは会話が行われていない場合の暗騒音による壁等の振動、即ち暗騒音レベルを固体振動センサ１測定しｄＢ値で示したものであり、環境の騒音レベルを示す。ＬＣＯＶは会話が行われた場合の壁等の振動を該センサで測定しｄＢ値で示したものであり、会話音レベルを示す。ＬＭはマスキングに必要な暗騒音と会話音とのレベル差であるが、本発明の会話保護装置においては標準値を設定するとともに、該数値を中心に可変設定ができよう装置する。ＬＭＡＳはマスキング信号によりマスキング振動を発生させる振動のレベル即ちマスキング振動レベルをｄＢ値で示したものである。該信号レベル以上で壁等にマスキング振動を付加することにより、壁等に振動を与えた会話音をマスクして第三者による盗聴を防止することができる。このようにして、壁等を伝搬する会話音をマスクすることにより壁等通過後に発生する各種の伝搬経路を経由した会話音をマスクすることになる。
さらに、マスキング効果を評価するため、壁等にマスキング振動を付加した状態でマスキング振動レベルを測定し、該測定値が式１で設定したマスキング振動レベルＬＭＡＳに至らなければ、ＬＭＡＳに到達するまでマスキング振動強度を調整することによりマスキング効果を確認し、会話音の保護を確実にすることができる。
【０００６】
【実施例】
図３は本発明の実施例であり、会議室に本発明の装置を設置した状態を示す。なお図３は会議室を上部から俯瞰した図を示している。固体振動センサ１は壁等１５の振動をピックアップする電磁型マイクロホンであり、壁面等に設置し、暗騒音振動、会話音振動及びマスキングを行った場合のマスキング振動をそれぞれピックアップし、ケーブル２０を介して検出信号をマスキング装置本体１８へ伝送する。マスキング装置本体１８は振動検出部２，表示部３、マスキング振動設定部４、マスキング信号発生部５及び電源部７から構成される。先ず、電磁型マイクロホンで、会話が行われていないときの暗騒音レベル（ｄＢ値）を測定し、その値を表示部へ表示するとともに振動検出部へ記憶する。次に、会話が行われた場合の会話音レベル（ｄＢ値）を、同じく電磁型マイクロホンで測定し表示部へ表示するとともに、振動検出部へ記憶する。マスキング振動設定部では、振動検出部から暗騒音レベル値（ｄＢ値）と会話音レベル値（ｄＢ値）を得て、両者の差（式１で示す〔ＬＣＯＶ−ＬＮＬ〕）を計算するとともに、マスキングに必要な暗騒音と会話音のレベル差設定値（本発明の会話保護装置では標準値１６ｄＢと設定）を加算し、マスキング信号発生部へ伝送する。マスキング信号発生部では、該設定条件に基づきマスキング信号を発生し、ケーブル１９を介して、トランスデューサ７に送出する。トランスデューサ７は、電歪型の振動発生器からなり該マスキング信号を受けてマスキング振動を発生する。カプラ部８は、壁等に対する振動の伝達体で、トランスデューサで生起した振動エネルギを壁等に対して効率よく付加する作用を行い、壁等をマスキング振動で振動させる。
次に、マスキング振動が送出されている状態において、電磁マイクロホンにより該マスキング振動をピックアップし、振動検出部で該マスキング振動のレベル（ｄＢ値）を測定し、表示部に表示する。測定したマスキング振動のレベル値が期待される値（式１で示すＬＭＡＳの値）に到達していればそのまま該マスキング振動の発生を継続する。期待される値に達していない場合は、マスキング振動設定部で設定する暗騒音と会話音の強度差設定値（標準値１６ｄＢ）の設定値を増加させてマスキング振動レベルが適正値に達するように調整する。このような方法により、適正化されたマスキング振動発生条件を得るとともに該条件に基づき、マスキング信号発生部、電歪型振動発生器及びカプラ部によりマスキング振動を継続して壁等に付加し、対象とする会話音を第三者の盗聴から保護することができる。
その他の実施例として、固体振動センサがクリスタルからなる場合及び光ファイバからなる場合等及びトランスデューサ部が磁歪型振動発生器等からなる場合並びにこれらの組み合わせがあるが、いずれの場合においても固体振動センサとトランスデューサ部が置き換わるだけであり、機能及び作用については実施例として掲げた装置と同様であるので説明を省略する。
【０００７】
【発明の効果】
以上説明したように、本発明の会話保護装置は会議等が行われる会議室等に軽易に設置し、室外から第三者が会話の内容を直接盗聴すること及び録音装置等を使用して間接的に盗聴することを防止することができる。
【図面の簡単な説明】
【図１】図１は従来の遮音方法による会議室の構成を示す水平面断面図。
【図２】図２は会話保護装置の構成を示すブロック図。
【図３】図３は会話保護装置の設置図。
【符号の説明】
１‥固体振動センサ、２‥振動検出部、３‥表示部、４‥マスキング振動設定部、５‥マスキング信号発生部、６‥電源部、７‥トランスデューサ部、８‥カプラ部、９‥部屋、１０、１１‥会話者、１２‥室内空間、１３‥内装、１４‥空間、１５‥壁等、１６‥連結部材、１７‥外部連結、１８‥会話保護装置の本体部、１９‥ケーブル、２０‥ケーブル、２１‥会議室
【図１】
2004334147.tif 000003
【図２】
2004334147.tif 000004
【図３】
2004334147.tif 000005